【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
クライアント端末から一の店舗のデータを受信し、当該一の店舗専用のホームページを作成するホームページ作成手段を備えるホームページ作成サーバであって、
前記ホームページ作成手段は、前記一の店舗の住所と同一地域内にある他の店舗専用のホームページを既に作成しているときは、前記一の店舗専用のホームページにおいて前記他の店舗専用のホームページとのリンク情報を更新する更新手段を備えることを特徴とするホームページ作成サーバ。
【請求項２】
撮像機能を有する他のクライアント端末から撮像された店舗のデジタル画像情報を受信し、当該撮像された店舗のデジタル画像情報を含む店舗紹介用のホームページを作成する他のホームページ作成手段を更に備え、
前記他のホームページ作成手段は、
デジタルフォトサービスにより前記店舗紹介用のホームページに含まれるデジタル画像情報と一緒にオプションを印刷する印刷手段と、
前記印刷手段により印刷するときに前記デジタルフォトサービスの料金の一部を前記撮像された店舗に課金する課金手段とを備え、
前記オプションは、前記撮像された店舗の名称や前記ホームページ作成手段により作成された当該店舗専用のホームページのＵＲＬを含むことを特徴とする請求項１記載のホームページ作成サーバ。
【請求項３】
前記他のクライアント端末は、前記店舗の撮像時に当該撮像した位置情報をＧＰＳ機能により測定するＧＰＳ機能を更に備え、
前記他のホームページ作成手段は、
前記他のクライアント端末で前記撮像された店舗のデジタル画像情報と、当該撮像時に測定された位置情報とを受信する受信手段と、
前記受信した位置情報に対応する前記撮像された店舗の近辺の地図画像情報及びその住所を検索する検索手段と、
前記検索された住所に対応する店舗の名称を検索する他の検索手段とを備え、
前記他の検索手段は、電話帳に記載されている全ての店舗の名称、住所、電話番号を記憶する電話番号データベースから前記検索された住所に対応する店舗の名称を検索することを特徴とする請求項１又は２記載のホームページ作成サーバ。
【請求項４】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に備え、
前記ホームページ作成サーバは、前記他のクライアント端末に入力された前記メールオプションを受信する他の受信手段と、
前記受信したメールオプションにある前記送信指定に基づき前記メールを送信するか否かを判別する判別手段と、
前記判別手段により前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御手段とを備えることを特徴とする請求項１乃至３のいずれか１項に記載のホームページ作成サーバ。
【請求項５】
クライアント端末から一の店舗のデータを受信し、当該一の店舗専用のホームページを作成するホームページ作成ステップを有するホームページ作成方法であって、
前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とするホームページ作成方法。
【請求項６】
撮像機能を有する他のクライアント端末から撮像された店舗のデジタル画像情報を受信し、当該撮像された店舗のデジタル画像情報を含む店舗紹介用のホームページを作成する他のホームページ作成ステップを更に有し、
前記他のホームページ作成ステップは、
デジタルフォトサービスにより前記店舗紹介用のホームページに含まれるデジタル画像情報と一緒にオプションを印刷する印刷ステップと、
前記印刷ステップにより印刷するときに前記デジタルフォトサービスの料金の一部を前記撮像された店舗に課金する課金ステップとを有し、
前記オプションは、前記撮像された店舗の名称や前記ホームページ作成ステップにより作成された当該店舗専用のホームページのＵＲＬを含むことを特徴とする請求項５記載のホームページ作成方法。
【請求項７】
前記他のクライアント端末は、前記店舗の撮像時に当該撮像した位置情報をＧＰＳ機能により測定するＧＰＳ機能を更に有し、
前記他のホームページ作成ステップは、
前記他のクライアント端末で前記撮像された店舗のデジタル画像情報と、当該撮像時に測定された位置情報とを受信する受信ステップと、
前記受信した位置情報に対応する前記撮像された店舗の近辺の地図画像情報及びその住所を検索する検索ステップと、
前記検索された住所に対応する店舗の名称を検索する他の検索ステップとを有し、
前記他の検索ステップは、電話帳に記載されている全ての店舗の名称、住所、電話番号を記憶する電話番号データベースから前記検索された住所に対応する店舗の名称を検索することを特徴とする請求項５又は６記載のホームページ作成方法。
【請求項８】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、
前記ホームページ作成方法は、前記他のクライアント端末に入力された前記メールオプションを受信する他の受信ステップと、
前記受信したメールオプションにある前記送信指定に基づき前記メールを送信するか否かを判別する判別ステップと、
前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御ステップとを有することを特徴とする請求項５乃至７のいずれか１項に記載のホームページ作成方法。
【請求項９】
クライアント端末から一の店舗のデータを受信し、当該一の店舗専用のホームページを作成するホームページ作成ステップを有するホームページ作成方法をコンピュータに実行させるプログラムであって、
前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とするプログラム。
【請求項１０】
撮像機能を有する他のクライアント端末から撮像された店舗のデジタル画像情報を受信し、当該撮像された店舗のデジタル画像情報を含む店舗紹介用のホームページを作成する他のホームページ作成ステップを更に有し、
前記他のホームページ作成ステップは、
デジタルフォトサービスにより前記店舗紹介用のホームページに含まれるデジタル画像情報と一緒にオプションを印刷する印刷ステップと、
前記印刷ステップにより印刷するときに前記デジタルフォトサービスの料金の一部を前記撮像された店舗に課金する課金ステップとを有し、
前記オプションは、前記撮像された店舗の名称や前記ホームページ作成ステップにより作成された当該店舗専用のホームページのＵＲＬを含むことを特徴とする請求項９記載のプログラム。
【請求項１１】
前記他のクライアント端末は、前記店舗の撮像時に当該撮像した位置情報をＧＰＳ機能により測定するＧＰＳ機能を更に有し、
前記他のホームページ作成ステップは、
前記他のクライアント端末で前記撮像された店舗のデジタル画像情報と、当該撮像時に測定された位置情報とを受信する受信ステップと、
前記受信した位置情報に対応する前記撮像された店舗の近辺の地図画像情報及びその住所を検索する検索ステップと、
前記検索された住所に対応する店舗の名称を検索する他の検索ステップとを有し、
前記他の検索ステップは、電話帳に記載されている全ての店舗の名称、住所、電話番号を記憶する電話番号データベースから前記検索された住所に対応する店舗の名称を検索することを特徴とする請求項９又は１０記載のプログラム。
【請求項１２】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、
前記プログラムは、前記他のクライアント端末に入力された前記メールオプションを受信する他の受信ステップと、
前記受信したメールオプションにある前記送信指定に基づき前記メールを送信するか否かを判別する判別ステップと、
前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御ステップとを有することを特徴とする請求項９乃至１１のいずれか１項に記載のプログラム。
【手続補正２】
【補正対象書類名】明細書
【補正対象項目名】００１５
【補正方法】変更
【補正の内容】
【００１５】
【課題を解決するための手段】
請求項２記載のホームページ作成サーバは、請求項１記載のホームページ作成サーバにおいて、撮像機能を有する他のクライアント端末から撮像された店舗のデジタル画像情報を受信し、当該撮像された店舗のデジタル画像情報を含む店舗紹介用のホームページを作成する他のホームページ作成手段を更に備え、前記他のホームページ作成手段は、デジタルフォトサービスにより前記店舗紹介用のホームページに含まれるデジタル画像情報と一緒にオプションを印刷する印刷手段と、前記印刷手段により印刷するときに前記デジタルフォトサービスの料金の一部を前記撮像された店舗に課金する課金手段とを備え、前記オプションは、前記撮像された店舗の名称や前記ホームページ作成手段により作成された当該店舗専用のホームページのＵＲＬを含むことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項３記載のホームページ作成サーバは、請求項１又は２記載のホームページ作成サーバにおいて、前記他のクライアント端末は、前記店舗の撮像時に当該撮像した位置情報をＧＰＳ機能により測定するＧＰＳ機能を更に備え、前記他のホームページ作成手段は、前記他のクライアント端末で前記撮像された店舗のデジタル画像情報と、当該撮像時に測定された位置情報とを受信する受信手段と、前記受信した位置情報に対応する前記撮像された店舗の近辺の地図画像情報及びその住所を検索する検索手段と、前記検索された住所に対応する店舗の名称を検索する他の検索手段とを備え、前記他の検索手段は、電話帳に記載されている全ての店舗の名称、住所、電話番号を記憶する電話番号データベースから前記検索された住所に対応する店舗の名称を検索することを特徴とする。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
請求項４記載のホームページ作成サーバは、請求項１乃至３のいずれか１項に記載のホームページ作成サーバにおいて、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に備え、前記ホームページ作成サーバは、前記他のクライアント端末に入力された前記メールオプションを受信する他の受信手段と、前記受信したメールオプションにある前記送信指定に基づき前記メールを送信するか否かを判別する判別手段と、前記判別手段により前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御手段とを備えることを特徴とする。
【手続補正９】
【補正対象書類名】明細書
【補正対象項目名】００２２
【補正方法】変更
【補正の内容】
【００２２】
上記目的を達成するために、請求項５記載のホームページ作成方法は、クライアント端末から一の店舗のデータを受信し、当該一の店舗専用のホームページを作成するホームページ作成ステップを有するホームページ作成方法であって、前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とする。
【手続補正１０】
【補正対象書類名】明細書
【補正対象項目名】００２３
【補正方法】変更
【補正の内容】
【００２３】
請求項６記載のホームページ作成方法は、請求項５記載のホームページ作成方法において、撮像機能を有する他のクライアント端末から撮像された店舗のデジタル画像情報を受信し、当該撮像された店舗のデジタル画像情報を含む店舗紹介用のホームページを作成する他のホームページ作成ステップを更に有し、前記他のホームページ作成ステップは、デジタルフォトサービスにより前記店舗紹介用のホームページに含まれるデジタル画像情報と一緒にオプションを印刷する印刷ステップと、前記印刷ステップにより印刷するときに前記デジタルフォトサービスの料金の一部を前記撮像された店舗に課金する課金ステップとを有し、前記オプションは、前記撮像された店舗の名称や前記ホームページ作成ステップにより作成された当該店舗専用のホームページのＵＲＬを含むことを特徴とする。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
請求項７記載のホームページ作成方法は、請求項５又は６記載のホームページ作成方法において、前記他のクライアント端末は、前記店舗の撮像時に当該撮像した位置情報をＧＰＳ機能により測定するＧＰＳ機能を更に有し、前記他のホームページ作成ステップは、前記他のクライアント端末で前記撮像された店舗のデジタル画像情報と、当該撮像時に測定された位置情報とを受信する受信ステップと、前記受信した位置情報に対応する前記撮像された店舗の近辺の地図画像情報及びその住所を検索する検索ステップと、前記検索された住所に対応する店舗の名称を検索する他の検索ステップとを有し、前記他の検索ステップは、電話帳に記載されている全ての店舗の名称、住所、電話番号を記憶する電話番号データベースから前記検索された住所に対応する店舗の名称を検索することを特徴とする。
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】変更
【補正の内容】
【００２９】
請求項８記載のホームページ作成方法は、請求項５乃至７のいずれか１項に記載のホームページ作成方法において、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、前記ホームページ作成方法は、前記他のクライアント端末に入力された前記メールオプションを受信する他の受信ステップと、前記受信したメールオプションにある前記送信指定に基づき前記メールを送信するか否かを判別する判別ステップと、前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御ステップとを有することを特徴とする。
【手続補正１７】
【補正対象書類名】明細書
【補正対象項目名】００３０
【補正方法】変更
【補正の内容】
【００３０】
上記目的を達成するために、請求項９記載のプログラムは、クライアント端末から一の店舗のデータを受信し、当該一の店舗専用のホームページを作成するホームページ作成ステップをコンピュータに実行させるプログラムであって、前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とする。
【手続補正１８】
【補正対象書類名】明細書
【補正対象項目名】００３１
【補正方法】変更
【補正の内容】
【００３１】
請求項１０記載のプログラムは、請求項９記載のプログラムにおいて、撮像機能を有する他のクライアント端末から撮像された店舗のデジタル画像情報を受信し、当該撮像された店舗のデジタル画像情報を含む店舗紹介用のホームページを作成する他のホームページ作成ステップを更に有し、前記他のホームページ作成ステップは、デジタルフォトサービスにより前記店舗紹介用のホームページに含まれるデジタル画像情報と一緒にオプションを印刷する印刷ステップと、前記印刷ステップにより印刷するときに前記デジタルフォトサービスの料金の一部を前記撮像された店舗に課金する課金ステップとを有し、前記オプションは、前記撮像された店舗の名称や前記ホームページ作成ステップにより作成された当該店舗専用のホームページのＵＲＬを含むことを特徴とする。
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】変更
【補正の内容】
【００３５】
請求項１１記載のプログラムは、請求項９乃至１０のいずれか１項に記載のプログラムにおいて、前記他のクライアント端末は、前記店舗の撮像時に当該撮像した位置情報をＧＰＳ機能により測定するＧＰＳ機能を更に有し、前記他のホームページ作成ステップは、前記他のクライアント端末で前記撮像された店舗のデジタル画像情報と、当該撮像時に測定された位置情報とを受信する受信ステップと、前記受信した位置情報に対応する前記撮像された店舗の近辺の地図画像情報及びその住所を検索する検索ステップと、前記検索された住所に対応する店舗の名称を検索する他の検索ステップとを有し、前記他の検索ステップは、電話帳に記載されている全ての店舗の名称、住所、電話番号を記憶する電話番号データベースから前記検索された住所に対応する店舗の名称を検索することを特徴とする。
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】変更
【補正の内容】
【００３７】
請求項１２記載のプログラムは、請求項９乃至１１のいずれか１項に記載のプログラムにおいて、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、前記プログラムは、前記他のクライアント端末に入力された前記メールオプションを受信する他の受信ステップと、前記受信したメールオプションにある前記送信指定に基づき前記メールを送信するか否かを判別する判別ステップと、前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信するよう制御する送信制御ステップとを有することを特徴とする。
【手続補正２５】
【補正対象書類名】明細書
【補正対象項目名】０１７４
【補正方法】変更
【補正の内容】
【０１７４】
【発明の効果】
以上詳細に説明したように、請求項１記載のホームページ作成サーバ、請求項５記載のホームページ作成方法、及び請求項９記載のプログラムによれば、一の店舗の住所と同一地域内にある他の店舗専用のホームページを既に作成しているときは、一の店舗専用のホームページにおいて他の店舗専用のホームページとのリンク情報を更新するので、特定地域の特定カテゴリの店舗を網羅的にカバーする複数の店舗ＨＰを効率的に作成することができる。
【手続補正２６】
【補正対象書類名】明細書
【補正対象項目名】０１７５
【補正方法】変更
【補正の内容】
【０１７５】
請求項２記載のホームページ作成サーバ、請求項６記載のホームページ作成方法、及び請求項１０記載のプログラムによれば、撮像機能を有する他のクライアント端末から撮像された店舗のデジタル画像情報を受信し、当該撮像された店舗のデジタル画像情報を含む店舗紹介用のホームページを作成する際、デジタルフォトサービスにより上記店舗紹介用のホームページに含まれるデジタル画像情報と一緒にオプションを印刷し、この印刷時に前記デジタルフォトサービスの料金の一部を上記撮像された店舗に課金し、このオプションは上記撮像された店舗の名称や上記作成されたその店舗専用のホームページのＵＲＬを含むので、クライアント端末として機能するデジタルカメラにより撮影したデジタル画像情報を容易に公開することができ、且つ保管することでき、またホームページ上に紹介されている店舗で撮影されたデジタル画像情報についてのデジタルフォトサービスでの印刷を低価格に行うことができる。
【手続補正２７】
【補正対象書類名】明細書
【補正対象項目名】０１７６
【補正方法】削除
【補正の内容】
【手続補正２８】
【補正対象書類名】明細書
【補正対象項目名】０１７７
【補正方法】削除
【補正の内容】
【手続補正２９】
【補正対象書類名】明細書
【補正対象項目名】０１７８
【補正方法】削除
【補正の内容】
【手続補正３０】
【補正対象書類名】明細書
【補正対象項目名】０１７９
【補正方法】変更
【補正の内容】
【０１７９】
請求項３記載のホームページ作成サーバ、請求項７記載のホームページ作成方法、及び請求項１１記載のプログラムによれば、他のクライアント端末で撮像された店舗のデジタル画像情報と、この撮像時に当該撮像した位置情報とを受信し、この受信した位置情報に対応する前記撮像された店舗の近辺の地図画像情報及びその住所を検索し、さらにこの検索された住所に対応する店舗の名称を検索し、その検索の際、電話帳に記載されている全ての店舗の名称、住所、電話番号を記憶する電話番号データベースから上記検索された住所に対応する店舗の名称を検索するので、クライアント端末からホームページ作成サーバに撮像した店舗の名称を送信しなくても店舗紹介ホームページを作成することができ、また１つの店舗も検索されないということは起こらず、その結果、撮影したデジタル画像情報を確実に店舗紹介ホームページに更新することができる。
【手続補正３１】
【補正対象書類名】明細書
【補正対象項目名】０１８０
【補正方法】削除
【補正の内容】
【手続補正３２】
【補正対象書類名】明細書
【補正対象項目名】０１８１
【補正方法】変更
【補正の内容】
【０１８１】
請求項４記載のホームページ作成サーバ、請求項８記載のホームページ作成方法、及び請求項１２記載のプログラムによれば、他のクライアント端末に入力されたメールオプションを受信すると、この受信したメールオプションにある送信指定に基づき前記メールを送信するか否かを判別し、その判別の結果、メールを送信すると判別したとき、受信したメールオプションにある挨拶やコメントと、検索された店舗近辺の地図画像情報及びその住所と、検索された店舗の名称と、撮像されたデジタル画像情報とを含むメールを、受信したメールオプションにある送信先に送信するよう制御するので、人との待ち合わせをスムーズに行うことができるメールを容易に作成することができる。